(57)【要約】【課題】  高精度の寸法管理が不要となり、更に、組み立てコストが低減され得るようにした電子機器の防水構造を提供することを目的とする。【解決手段】  電子回路基板１１などの電子部品を収容する第１及び第２の筐体からなる筐体１２，１３と、外部からのケーブル１６を前記第１及び第２の筐体１２，１３で挟持し前記筐体内に導入する挿通孔を形成するように前記第１及び／又は第２の筐体の突き合わせ端面１２ａ，１３，に形成された切欠部１２ｂ，１３ｂと、前記第１及び第２の筐体１２，１３の突き合わせ端面１２ａ，１３ａ及び前記切欠部に介挿される弾性体１４，１５と、を含んだ電子機器の防水構造において、  前記ケーブル１６の前記切欠部で挟持される部分の全外周は、前記第１の筐体１２と第２の筐体１３を突き合わせる方向の力で前記弾性体に圧接される。【選択図】        図１
2005129573.tif 000002
【特許請求の範囲】
【請求項１】
電子回路基板などの電子部品を収容する第１及び第２の筐体からなる筐体と、外部からのケーブルを前記第１及び第２の筐体で挟持し前記筐体内に導入する挿通孔を形成するように前記第１及び／又は第２の筐体の突き合わせ端面に形成された切欠部と、前記第１及び第２の筐体の突き合わせ端面及び前記切欠部に介挿される弾性体と、を含んだ電子機器の防水構造において、
前記ケーブルの前記切欠部で挟持される部分の全外周は、前記第１の筐体と第２の筐体を突き合わせる方向の力で前記弾性体に圧接されることを特徴とする電子機器の防水構造。
【請求項２】
前記弾性体は１面を第１の筐体の突き合わせ面と接する第１の弾性体と、１面を第２の筐体の突き合わせ面と接する第２の弾性体とからなり、前記ケーブルは前記第１及び第２の弾性体によって挟持されることを特徴とする請求項１に記載の電子機器の防水構造。
【請求項３】
前記ケーブルの前記第１の筐体側と前記第２の筐体側の境界となる両端は、鋭角となっていることを特徴とする請求項１あるいは２に記載の電子機器の防水構造。
【発明の詳細な説明】
【技術分野】
【０００１】
本発明は、外部ケーブル導入部に関して防水性を備えるようにした電子機器の防水構造に関するものである。
【背景技術】
【０００２】
従来、各種電子機器においては、ケース内に収納された電子回路、電子部品の防水性を確保するために、密閉式ケースを使用すると共に、外部との接続のためのケーブル等の導入部に防水性を備えるようにした防水構造が知られている。
【０００３】
このような防水構造を備えた電子機器は、例えば図４に示すように構成されている。すなわち、電子部品が配置された基板４１を樹脂成型されたケース４２及びカバー４３で収容し、ケース４２及びカバー４３の互いに付き合わされる環状壁４２ａ及び４３ａとの間に平坦な環状の防水パッキン４４が配置されることによりケース４２及びかバー４３の間の防水性が確保されるようになっている。
【０００４】
基板４１にはケーブル４５が接続され、ケーブル４５は機器の外部から導入されている。このケーブル４５はケース４２及びカバー４３に設けられたＵ字形の切欠部４２ｂ及び４３ｂと、ケーブルの先端部分に取り付けられ且つ切欠部４２ｂ、４３ｂ内に圧入されるブッシュ４７が設けられている。ブッシュ４７はケーブルの先端部分に一体成形あるいは被嵌されることにより、一体的に形成されている。この場合、ブッシュ４７の外形はケース４２とカバー４３が組み合わされたときに切欠部４２ｂ、４３ｂが組み合わされた形状に合わせて円柱状に形成されていると共に、圧入により切欠部４２ｂ、４３ｂの内面に密着するように切欠部４２ｂ、４３ｂの内寸より僅かに大きく形成されている。更にブッシュ４７は、ケース４２とカバー４３が組み合わされたとき、ブッシュ４７にパッキン４４の切欠部４４ａが密着する。これによりケーブル４５を機器内に導入する部分における防水構造が得られるようになっている。
【発明の開示】
【発明が解決しようとする課題】
【０００５】
しかしながら、上述した防水構造では、パッキン４４はケース４２とカバー４３の押圧力がＹ方向には作用するが、Ｘ方向には作用しないので、パッキン４４とブッシュ４７との密着面で防水性が弱くなる。その為、パッキン４４とブッシュ４７との密着面に於ける防水性を確保するためにはブッシュ４７とパッキン４４の切欠部４４ａの寸法公差の精度を高める必要がある。これにより、ブッシュ４７及び切欠部４４ａの厳密な寸法管理が必要となり、さらに、ケーブル４５にブッシュ４７を一体的に形成する必要があるため、組み立て性が悪くコストが高くなってしまうといった問題があった。
【０００６】
本発明は上記の点に鑑みなされたものであり、高精度の寸法管理が不要となり、更に、組み立てコストが低減され得るようにした電子機器の防水構造を提供することを目的とする。
【課題を解決するための手段】
【０００７】
上記目的を達成するために本発明の電子機器の防水構造は、電子回路基板などの電子部品を収容する第１及び第２の筐体からなる筐体と、外部からのケーブルを前記第１及び第２の筐体で挟持し前記筐体内に導入する挿通孔を形成するように前記第１及び／又は第２の筐体の突き合わせ端面に形成された切欠部と、前記第１及び第２の筐体の突き合わせ端面及び前記切欠部に介挿される弾性体と、を含んだ電子機器の防水構造において、前記ケーブルの前記切欠部で挟持される部分の全外周は、前記第１の筐体と第２の筐体を突き合わせる方向の力で前記弾性体に圧接される。
【０００８】
前記弾性体は１面を第１の筐体の突き合わせ面と接する第１の弾性体と、１面を第２の筐体の突き合わせ面と接する第２の弾性体とからなり、前記ケーブルは前記第１及び第２の弾性体によって挟持される。
【０００９】
また、前記ケーブルの前記第１の筐体側と前記第２の筐体側の境界となる両端は、鋭角となっている
【発明の効果】
【００１０】
本発明の電子機器の防水構造によれば、高精度の寸法管理が不要となり、さらに部品コストが低減され得るようにした極めて優れた電子機器の防水構造が提供され得ることになる。
【発明を実施するための最良の形態】
【００１１】
以下、図面に示した実施形態に基づいて、本発明を詳細に説明する。図１は本発明による防水構造を用いた電子機器の分解斜視図である。
【００１２】
この電子機器は、電子部品が配置された基板１１と、基板１１を収容する樹脂成型されたケース１２及びカバー１３と、ケース１２及びカバー１３の互いに付き合わされる環状壁１２ａ及び１３ａに各々接するように平坦な環状のケース防水パッキン１４及びカバー防水パッキン１５と、機器内に導入され基板１１と接続するケーブル１６と、から構成されている。
【００１３】
なお、ケース１２とカバー１３とは図示しないボルトにより締め付けることで固定するように構成されている。
【００１４】
ケース１２及びカバー１３にはケーブル１６を機器内に導入するために各々切欠部１２ｂ，１３ｂが設けられている。切欠部１２ｂ，１３ｂは、ケース１２及びカバー１３を組み合わせたときに切欠部１２ｂ、１３ｂが成す空間部の形状がケーブル１６の形状よりも幾分大きい形状となるように形成されている。
【００１５】
ケース防水パッキン１４及びカバー防水パッキン１５は、ケース１２とカバー１３が挟持して組み合わせられたとき、ボルトの締め付ける力で変形するゴムやエラストマー等の材質からなる弾性体であり、各々ケース１２及びカバー１３の環状壁１２ａ及び１３ａと切欠部１２ｂ及び１３ｂに接する形状となっている。
【００１６】
図２は上述の構成部品を組み合わせたときのケーブル１６がケース１２及びカバー１３によってケース防水パッキン１４及びカバー防水パッキン１５が挟持される部分の断面図である。
【００１７】
ケース防水パッキン１４及びカバー防水パッキン１５は、組み合わされるときのケース１２及びカバー１３の上下方向の力によって上下方向に弾性変形する。その結果、ケース１２とケース防水パッキン１４、カバー１３とカバー防水パッキン１５及びケース防水パッキン１４とカバー防水パッキン１５が密着し防水性が確保される、
同様にケーブル１６は左右方向に長い六角形であるので、ケーブル１６の各辺には上下方向の力が印加されるので、ケーブル１６の各辺にケース防水パッキン１４及びカバー防水パッキン１５が密着し防水性が確保される。
【００１８】
なお、上述した実施例ではケーブル１６の断面形状は六角形で説明したが、これに限定されるものではない。例えば図３に示すような台形としても良い。この場合、切欠部はケース１２又はカバー１３のいずれかに設ければよく、カバー１２又はケース１３の形状が簡単となり設計し易い。
【００１９】
なお、ケーブル１６の形状はケース１２とカバー１３とによって挟持される部分のみ上述した形状としてもよい。
【００２０】
このように、本発明では、ケース１２とカバー１３を付き合わされる力のみで防水性が確保されるので、高精度の寸法管理が不要となり、更に、ケーブルにブッシュを取り付ける作業も無くなり組み立て性がよく、コストが低減され得るようにした電子機器の防水構造が提供され得ることになる。
【図面の簡単な説明】
【００２１】
【図１】本発明による電子機器の防水構造の一実施形態を示す概略斜視図である。
【図２】本発明による電子機器の防水構造のケーブルが挟持される部分の断面図である。
【図３】本発明による電子機器の防水構造のケーブルが挟持される部分の断面図である。
【図４】従来の防水構造の一例を示す分解斜視図である。
【符号の説明】
【００２２】
１２    ケース
１３    カバー
１４    ケース防水パッキン
１５    カバー防水パッキン
１６    ケーブル
【図１】
2005129573.tif 000003
【図２】
2005129573.tif 000004
【図３】
2005129573.tif 000005
【図４】
2005129573.tif 000006